(57)【特許請求の範囲】
【請求項１】
水平移動自在な一対の位置決めチャックのそれぞれの上面に複数の回転自在なローラを設け、円形状あるいは楕円形状のスピーカガスケットを、前記全てのローラ外周を覆うごとく一対の位置決めチャック上に載置し、前記位置決めチャックを互いに離脱する方向に所定距離水平移動させてローラをスピーカガスケットの内周面に当接させてスピーカガスケットの位置決めおよびセンタリング動作を行うスピーカガスケット位置決め装置。
【請求項２】
水平移動自在な一対の位置決めチャックのそれぞれの上面に複数の回転自在なローラを設け、スピーカガスケットを対向するローラの間に配置し、前記位置決めチャックを互いに近接する方向に所定距離水平移動させてローラをスピーカガスケットの外周面に当接させてスピーカガスケットの位置決めおよびセンタリング動作を行うスピーカガスケット位置決め装置。
【発明の詳細な説明】
【０００１】
【発明の属する技術分野】
本発明は、音響機器などに使用されるスピーカガスケット位置決め装置に関するものである。
【０００２】
【従来の技術】
従来のスピーカ製造におけるスピーカガスケットの組立工程は、自動供給などではなく作業者が手作業によりスピーカガスケットをスピーカフレームの所定個所に供給していた。
【０００３】
【発明が解決しようとする課題】
従って、スピーカフレームの所定箇所へのスピーカガスケットの位置決めおよび供給を、作業者の手作業により行っていたため、位置精度が作業の習熟と個人差に左右され、作業工数および歩留りが良くないという課題を有していた。
【０００４】
また、スピーカガスケットの自動供給をするためには、スピーカガスケットをスピーカフレームへ供給する前工程において、正確なスピーカガスケットの位置決めが要求される。
【０００５】
本発明は前記課題を解決しようとするものであり、作業工数が少なく、歩留りが良く、優れた位置決め精度を確保することができるスピーカガスケット位置決め装置を提供することを目的とする。
【０００６】
【課題を解決するための手段】
前記課題を解決するために本発明におけるスピーカガスケット位置決め装置は、水平移動自在な一対の位置決めチャックのそれぞれの上面に複数の回転自在なローラを設け、前記位置決めチャックを互いに離脱あるいは近接する方向に所定距離水平移動させてスピーカガスケット内周面あるいは外周面に当接させてスピーカガスケットの位置決めおよびセンタリング動作を行う構成としたものであり、安定したスピーカガスケットの位置決めができるものである。
【０００７】
【発明の実施の形態】
本発明の請求項１に記載の発明は、水平移動自在な一対の位置決めチャックのそれぞれの上面に複数の回転自在なローラを設け、円形状あるいは楕円形状のスピーカガスケットを、前記全てのローラの外周を覆うごとく一対の位置決めチャック上に載置し、前記位置決めチャックを互いに離脱する方向に所定距離水平移動させてローラをスピーカガスケットの内周面に当接させてスピーカガスケットの位置決めおよびセンタリング動作を行うスピーカガスケット位置決め装置であり、スピーカフレームに自動供給する前工程において、安定したスピーカガスケットの位置決めを可能にするものである。
【０００８】
請求項２に記載の発明は、一対の位置決めチャックを互いに近接する方向に所定距離水平移動させてローラをスピーカガスケットの外周面に当接させてスピーカガスケットの位置決めおよびセンタリング動作を行うスピーカガスケット位置決め装置であり、スピーカフレームに自動供給する前工程において小径のスピーカガスケットの位置決めを安定して行うことができるものである。
【０００９】
以下、本発明の実施の形態について、図面を用いて説明する。
【００１０】
（実施の形態１）
図１は本発明の実施の形態におけるスピーカガスケット位置決め装置の要部平面図、図２は同楕円形状スピーカガスケットにおける設定状態の要部平面図である。
【００１１】
図１において１はスピーカを構成する弾性体材料などでなる円形状のスピーカガスケット、３および４は水平に単独あるいは同期して互いに逆方向に水平移動自在な位置決めチャック、そして２および５は回転自在な硬質樹脂あるいはベアリングなどでなる複数個のローラであり、対向する位置決めチャック３、位置決めチャック４の上面の内側にそれぞれ定間隔で設置されている。
【００１２】
次に動作について説明する。まず、位置決めチャック３、位置決めチャック４を互いに対向し当接する方向に移動（駆動機構は図示せず）させ、ローラ２、ローラ５がスピーカガスケット１の内方となる位置とする。
【００１３】
続いてスピーカガスケット１をローラ２、ローラ５を内包するごとく位置決めチャック３，４上に載置する。その後、位置決めチャック３、位置決めチャック４を同期させて所定距離矢印方向に水平移動させてローラ２とローラ５を開き、スピーカガスケット１の内周面にローラ２、ローラ５の外周を当接させることにより、スピーカガスケット１の位置決めおよびセンタリング動作を行うものである。
【００１４】
図２は楕円形状のスピーカガスケット２１を前記と同じ動作により、位置決めおよびセンタリング動作を行った状態を示している。
【００１５】
（実施の形態２）
図３は他の実施の形態におけるスピーカガスケット位置決め装置の要部平面図である。
【００１６】
図３において、１はスピーカにおける円形状のスピーカガスケット、１３および１４は水平に単独あるいは同期して互いに逆方向に水平移動自在な位置決めチャック、そして１２および１５は回転自在な硬質樹脂あるいはベアリングなどでなる複数個のローラであり、対向する位置決めチャック１３、位置決めチャック１４の上面の内側にそれぞれ定間隔で設置されている。
【００１７】
次に動作について説明する。まず、位置決めチャック１３、位置決めチャック１４を互いに離脱する方向に移動（駆動機構は図示せず）させ、ローラ１２、ローラ１５がスピーカガスケットの外径より外の位置とする。
【００１８】
続いてスピーカガスケット１を対向するローラ１２、ローラ１５の間に設定（４つのローラの内側に位置するように）して、位置決めチャック１３，１４上に載置する。その後、位置決めチャック１３、位置決めチャック１４を同期させて所定距離矢印方向に水平移動させローラ１２とローラ１５を近接させて、スピーカガスケット１の外部円周端にローラ１２、ローラ１５の外円周部を当接させることにより、スピーカガスケット１の位置決めおよびセンタリング動作を行うものである。
【００１９】
【発明の効果】
以上、本発明によるスピーカガスケット位置決め装置によれば、弾力性材料などでなるスピーカガスケットを自動供給する場合に、必要な位置決めおよびセンタリングを精度良く確実に行うことができ、作業工数が少なくかつ高歩留りでのスピーカガスケット位置決め装置を実現することができる。よって、スピーカ組立品質の向上を図ることができる。
【図面の簡単な説明】
【図１】  本発明の一実施の形態におけるスピーカガスケット位置決め装置の要部平面図
【図２】  同楕円形状スピーカガスケットにおける設定状態の要部平面図
【図３】  本発明の他の実施の形態におけるスピーカガスケット位置決め装置の要部平面図
【符号の説明】
１  スピーカガスケット
２，５  ローラ
３，４  位置決めチャック
【図１】
0003642223.tif 000002
【図２】
0003642223.tif 000003
【図３】
0003642223.tif 000004